(57)【特許請求の範囲】
【請求項１】
遊技球が流下する遊技領域を備えた遊技盤と、
前記遊技盤を保持する遊技盤保持枠と、
前記遊技盤保持枠の前面を覆うようにして取り付けられた前面部材と、
前記遊技盤保持枠の前記前面部材側に配置されて、遊技盤押さえ部を備えると共に、前記遊技盤押さえ部で前記遊技盤の一部を押し止めして前記遊技盤保持枠に前記遊技盤を離脱不能に保持した保持位置と、前記遊技盤押さえ部による前記遊技盤を押し止めた状態を解除した非保持位置との間で移動操作可能な第１係合部材とを備えた弾球遊技機において、
前記前面部材が前記遊技盤保持枠に対して第１位置状態となると、前記前面部材が前記遊技盤保持枠に対して離脱不能に係合可能となる一方、
前記前面部材が前記遊技盤保持枠に対して第２位置状態となると、前記前面部材が前記遊技盤保持枠に対して係合不能となる第２係合部材を備え、
前記第１係合部材が前記非保持位置にあるときには、前記第１の係合部材と前記前面部材とが互いに干渉して、前記前面部材を前記遊技盤保持枠に対して前記第２位置状態に保持し、
前記第１係合部材が前記保持位置にあるときには、前記第１の係合部材と前記前面部材とが互いに干渉せずに、前記前面部材を前記遊技盤保持枠に対して前記第１位置状態に移行可能とする組み付け不良防止手段を備えたことを特徴とする弾球遊技機。
【請求項２】
前記組み付け不良防止手段は、前記第１係合部材が前記非保持位置にあるときには、前記第１係合部材と前記前面部材とを互いに干渉させて、前記前面部材を、前記遊技盤保持枠に対して前記第２位置状態とすることで、前記第２係合部材の係合を禁止し、
前記第１係合部材が前記保持位置にあるときには、前記前面部材を、前記遊技盤保持枠に対して前記第１位置状態にすることで、前記第２係合部材の係合を許容するように構成されたことを特徴とする請求項１に記載の弾球遊技機。
【請求項３】
前記第２係合部材は、前記前面部材に備えられた係合部と、前記遊技盤保持枠に備えられた係合部とから構成され、
前記第１位置状態は、前記前面部材に備えられた係合部と、前記遊技盤保持枠に備えられた係合部とが係合可能な位置であり、
前記第２位置状態は、前記前面部材に備えられた係合部と、前記遊技盤保持枠に備えられた係合部とが係合不能な位置であることを特徴とする請求項１又は２に記載の弾球遊技機。
【請求項４】
前記第１係合部材は、前記前面部材により少なくとも一部が覆われる位置に配置されたことを特徴とする請求項１乃至３の何れかに記載の弾球遊技機。
【請求項５】
前記組み付け不良防止手段は、前記第１係合部材から前記前面部材に向けて突出形成された干渉凸部と、
前記前面部材に形成されて、前記第１係合部材が前記非保持位置にあるとき前記干渉凸部に干渉して、前記前面部材を前記遊技盤保持枠に対して前記第２位置状態とする受け凸部と、
前記前面部材に形成されて、前記第１係合部材が前記保持位置にあるとき前記干渉凸部を収納する干渉凸部収納空間とからなることを特徴とする請求項１乃至４の何れかに記載の弾球遊技機。
【請求項６】
前記第１係合部材は、前記遊技盤保持枠から突出した軸部の先端に設けられて回動する係合レバーであることを特徴とする請求項１乃至５の何れかに記載の弾球遊技機。
【請求項７】
前記係合レバーは、前記軸部に直交した摘み部を備えたことを特徴とする請求項６に記載の弾球遊技機。
【請求項８】
前記干渉凸部は、前記係合レバーの回動中心から離れた端部に配置されたことを特徴とする請求項６又は７に記載の弾球遊技機。
【請求項９】
前記第１係合部材の移動可能な範囲のうち前記保持位置以外は全て前記非保持位置であることを特徴とする請求項１乃至８の何れかに記載の弾球遊技機。
【請求項１０】
前記第１係合部材が移動可能な範囲の一端に突き当てられたときに、前記第１係合部材が前記保持位置となり、前記第１係合部材が移動可能な範囲の一端以外では前記第１係合部材が前記非保持位置となることを特徴とする請求項１乃至９の何れかに記載の弾球遊技機。
【請求項１１】
前記前面部材は、遊技球を貯留する遊技球貯留皿を備えた遊技球貯留皿セット部材であることを特徴とする請求項１乃至１０の何れかに記載の弾球遊技機。
【請求項１２】
前記前面部材は、前記遊技盤の前記遊技領域の少なくとも一部を覆う透光板を備える透光板枠であることを特徴とする請求項１乃至１０の何れかに記載の弾球遊技機。
【請求項１３】
前記前面部材は、前記遊技盤の前記遊技領域の少なくとも一部を覆う透光板を備える透光板枠と、前記透光板枠の下方に備えられて、遊技球を貯留する遊技球貯留皿を有する遊技球貯留皿セット部材とを一体に備えた構成であることを特徴とする請求項１乃至１０の何れかに記載の弾球遊技機。
【発明の詳細な説明】
【技術分野】
【０００１】
本発明は、弾球遊技機に関する。
【背景技術】
【０００２】
従来より、遊技盤保持枠に備えられた係合レバーによって遊技盤を遊技盤保持枠の前面側から保持する弾球遊技機が知られている（例えば、特許文献１参照）。この弾球遊技機では、遊技盤保持枠の前面側に、遊技盤の遊技領域を覆うようにしてガラス枠が取り付けられ、さらに、このガラス枠の下方に遊技球を貯留する遊技球貯留皿が取り付けられている。
【特許文献１】特開２００２−３３６５０２号公報（段落［００２０］〜［００２６］、図１及び図３）
【発明の開示】
【発明が解決しようとする課題】
【０００３】
しかしながら、上述した従来の弾球遊技機では、係合レバーによって遊技盤が遊技盤保持枠に保持されていない状態でも、ガラス枠や遊技球貯留皿を遊技盤保持枠に固定することが可能であったため、遊技盤が傾いた状態や不安定な状態のまま遊技が行われる虞があった。
【０００４】
本発明は、上記事情に鑑みてなされたもので、遊技盤の組み付け不良を防止することが可能な弾球遊技機の提供を目的とする。
【課題を解決するための手段】
【０００５】
上記目的を達成するため、請求項１に係る遊技機は、遊技球が流下する遊技領域を備えた遊技盤と、遊技盤を保持する遊技盤保持枠と、遊技盤保持枠の前面を覆うようにして取り付けられた前面部材と、遊技盤保持枠の前面部材側に配置されて、遊技盤押さえ部を備えると共に、遊技盤押さえ部で遊技盤の一部を押し止めして遊技盤保持枠に遊技盤を離脱不能に保持した保持位置と、遊技盤押さえ部による遊技盤を押し止めた状態を解除した非保持位置との間で移動操作可能な第１係合部材とを備えた弾球遊技機において、前面部材が遊技盤保持枠に対して第１位置状態となると、前面部材が遊技盤保持枠に対して離脱不能に係合可能となる一方、前面部材が遊技盤保持枠に対して第２位置状態となると、前面部材が遊技盤保持枠に対して係合不能となる第２係合部材を備え、第１係合部材が非保持位置にあるときには、第１の係合部材と前面部材とが互いに干渉して、前面部材を遊技盤保持枠に対して第２位置状態に保持し、第１係合部材が保持位置にあるときには、第１の係合部材と前面部材とが互いに干渉せずに、前面部材を遊技盤保持枠に対して第１位置状態に移行可能とする組み付け不良防止手段を備えたところに特徴を有する。
【０００６】
請求項２の発明は、請求項１に記載の弾球遊技機において、組み付け不良防止手段は、第１係合部材が非保持位置にあるときには、第１係合部材と前面部材とを互いに干渉させて、前面部材を、遊技盤保持枠に対して第２位置状態とすることで、第２係合部材の係合を禁止し、第１係合部材が保持位置にあるときには、前面部材を、遊技盤保持枠に対して第１位置状態にすることで、第２係合部材の係合を許容するように構成されたところに特徴を有する。
【０００７】
請求項３の発明は、請求項１又は２に記載の弾球遊技機において、第２係合部材は、前面部材に備えられた係合部と、遊技盤保持枠に備えられた係合部とから構成され、第１位置状態は、前面部材に備えられた係合部と、遊技盤保持枠に備えられた係合部とが係合可能な位置であり、第２位置状態は、前面部材に備えられた係合部と、遊技盤保持枠に備えられた係合部とが係合不能な位置であるところに特徴を有する。
【０００８】
請求項４の発明は、請求項１乃至３の何れかに記載の弾球遊技機において、第１係合部材は、前面部材により少なくとも一部が覆われる位置に配置されたところに特徴を有する。
【０００９】
請求項５の発明は、請求項１乃至４の何れかに記載の弾球遊技機において、組み付け不良防止手段は、第１係合部材から前面部材に向けて突出形成された干渉凸部と、前面部材に形成されて、第１係合部材が非保持位置にあるとき干渉凸部に干渉して、前面部材を、遊技盤保持枠に対して第２位置状態とする受け凸部と、前面部材に形成されて、第１係合部材が保持位置にあるとき干渉凸部を収納する干渉凸部収納空間とからなるところに特徴を有する。
【００１０】
請求項６の発明は、請求項１乃至５の何れかに記載の弾球遊技機において、第１係合部材は、遊技盤保持枠から突出した軸部の先端に設けられて回動する係合レバーであるところに特徴を有する。
【００１１】
請求項７の発明は、請求項６に記載の弾球遊技機において、係合レバーは、軸部に直交した摘み部を備えたところに特徴を有する。
【００１２】
請求項８の発明は、請求項６又は７に記載の弾球遊技機において、干渉凸部は、係合レバーの回動中心から離れた端部に配置されたところに特徴を有する。
【００１３】
請求項９の発明は、請求項１乃至８に記載の弾球遊技機において、第１係合部材の移動可能な範囲のうち保持位置以外は全て非保持位置であるところに特徴を有する。
【００１４】
請求項１０の発明は、請求項１乃至９の何れかに記載の弾球遊技機において、第１係合部材が移動可能な範囲の一端に突き当てられたときに、第１係合部材が保持位置となり、第１係合部材が移動可能な範囲の一端以外では第１係合部材が非保持位置となるところに特徴を有する。
【００１５】
請求項１１の発明は、請求項１乃至１０の何れかに記載の弾球遊技機において、前面部材は、遊技球を貯留する遊技球貯留皿を備えた遊技球貯留皿セット部材であるところに特徴を有する。
【００１６】
請求項１２の発明は、請求項１乃至１０の何れかに記載の弾球遊技機において、前面部材は、遊技盤の遊技領域の少なくとも一部を覆う透光板を備える透光板枠であるところに特徴を有する。
【００１７】
請求項１３の発明は、請求項１乃至１０の何れかに記載の弾球遊技機において、前面部材は、遊技盤の遊技領域の少なくとも一部を覆う透光板を備える透光板枠と、透光板枠の下方に備えられて、遊技球を貯留する遊技球貯留皿を有する遊技球貯留皿セット部材とを一体に備えた構成であるところに特徴を有する。
【発明の効果】
【００１８】
［請求項１，１１，１２，１３の発明］
上記のように構成した請求項１に係る発明によれば、第１係合部材が遊技盤保持枠を遊技盤に押し止めしていない非保持位置にある場合は、組み付け不良防止手段によって第１係合部材と前面部材とが干渉して、前面部材は、遊技盤保持枠に対して第２位置状態となる。即ち、前面部材を遊技盤保持枠に離脱不能に係合可能な第１位置状態とすることが不可能となる。これにより、弾球遊技機の組み立て作業者は、遊技盤保持枠に遊技盤が押し止めされていないことを認識でき、遊技盤の組み付け不良を防止することができる。
【００１９】
ここで、前面部材は、遊技球を貯留する遊技球貯留皿を備えた遊技球貯留皿セット部材であってもよい（請求項１１の発明）。また、前面部材は、遊技盤の遊技領域の少なくとも一部を覆う透光板を備える透光板枠であってもよい（請求項１２の発明）。さらに、前面部材は、遊技盤の前記遊技領域の少なくとも一部を覆う透光板を備える透光板枠と、透光板枠の下方に備えられて、遊技球を貯留する遊技球貯留皿を有する遊技球貯留皿セット部材とを一体に備えた構成でもよい（請求項１３の発明）。
【００２０】
［請求項２，３，４の発明］
請求項２の発明によれば、第１係合部材が非保持位置にある場合は、組み付け不良防止手段によって第１係合部材と前面部材とが干渉して、前面部材は、遊技盤保持枠に対して第２位置状態となる。即ち、前面部材を遊技盤保持枠に離脱不能に係合可能な第１位置状態とすることが不可能となり、第２係合部材の係合が禁止される。つまり、遊技盤の保持が不完全な状態では、前面部材と遊技盤保持枠との係合ができなくなるので遊技盤の組み付け不良を確実に防止することができる。
【００２１】
ここで、第２係合部材は、前面部材に備えられた係合部と、遊技盤保持枠に備えられた係合部とから構成され、第１位置状態は、これら前面部材に備えられた係合部と、遊技盤保持枠に備えられた係合部とが係合可能な位置であり、第２位置状態は、前面部材に備えられた係合部と、遊技盤保持枠に備えられた係合部とが係合不能な位置である（請求項３の発明）。また、第１係合部材は、前面部材により少なくとも一部が覆われる位置に配置されていればよい（請求項４の発明）。
【００２２】
［請求項５の発明］
請求項５の発明によれば、第１係合部材が保持位置にある場合に、前面部材と遊技盤保持枠との組み付け操作を行うと、第１係合部材に突出形成された干渉凸部が、前面部材に形成された干渉凸部収納空間に収納されるので、前面部材と遊技盤保持枠とを第２係合部材で係合することが可能となる。
【００２３】
これに対し、第１係合部材が非保持位置にある場合に、前面部材と遊技盤保持枠との組み付け操作を行うと、第１係合部材の干渉凸部が、前面部材に形成された受け凸部に干渉して、前面部材を遊技盤保持枠に対して第１位置状態とすることが不可能となる。つまり、遊技盤が第１係合部材によって遊技盤保持枠に保持されていない場合には、第２係合部材による前面部材と遊技盤保持枠との係合が禁止されるので、遊技盤の組み付け不良を確実に防止することができる。ここで、第１係合部材は、遊技盤保持枠に突出形成された軸部に回動可能に設けられた係合レバーとすることができる（請求項６の発明）。
【００２４】
［請求項７の発明］
請求項７の発明によれば、係合レバーには、摘み部が備えられたので、係合レバーの操作性を向上することができる。
【００２５】
［請求項８の発明］
請求項８の発明によれば、干渉凸部は、係合レバーの回動中心から離れた端部に配置されたので、干渉凸部を回動中心寄り位置に配置した場合と比較して、係合レバーの回動による干渉凸部の移動の幅を大きくすることができる。これにより、前面部材に備えられた受け凸部と干渉凸部収納空間とを離した位置に配置することができる。
【００２６】
［請求項９の発明］
請求項９の発明によれば、第１係合部材の移動可能な範囲のうち、保持位置以外は全て非保持位置となっているので、係合レバーが保持位置ではない場合には、確実に前面部材と遊技盤保持枠との係合が禁止される。よって遊技盤の組み付け不良をより確実に防止することができる。
【００２７】
［請求項１０の発明］
請求項１０の発明によれば、第１係合部材を保持位置とする場合には、第１係合部材が移動可能な範囲の一端に突き当って止まるまで移動させればよいので、第１係合部材を容易かつ確実に保持位置とすることができる。
【発明を実施するための最良の形態】
【００２８】
以下、本発明を適用したパチンコ遊技機に係る一実施形態を、図１〜図１２に基づいて説明する。本実施形態のパチンコ遊技機には、図３に示すように、一般のものと同様に、遊技場の遊技島に固定される外枠８２に遊技盤保持枠９０が着脱可能に取り付けられている。
【００２９】
遊技盤保持枠９０には、図３に示した遊技盤１１に種々の部品を組み付けてなる遊技盤側集合体と、裏機構セット盤７５（図２を参照）に種々の部品を組み付けてなる裏機構セット盤側集合体の２つの集合体が組み付けられる。遊技盤側集合体を構成する各部品に関して説明すると、遊技盤１１は、木製の概矩形板材で構成されている。遊技盤１１の前面には、図１に示すように、ガイドレール１２が取り付けられ、ガイドレール１２の内側が、遊技領域Ｒ１となっている。遊技領域Ｒ１のほぼ中央部には、表示装置１３が設けられ、表示装置１３の下方には、始動入賞口１４、大入賞口１５及びアウト口１６が、上から順に間隔を開けて並べて設けられている。また、遊技領域Ｒ１のうち表示装置１３、及び始動入賞口１４等を挟んだ左右の両側には、上から順に、ランプ風車１７、始動ゲート１８及び風車１９、サイド入賞口２０，２１が設けられ、ガイドレール１２に沿った両側部には、サイドランプ２２，２２が設けられている。さらに、これら入賞口等以外に、遊技領域Ｒ１には、図示しない複数の釘が起立している。
【００３０】
所要の各部位についてさらに詳説する。
上側サイド入賞口２０及び下側サイド入賞口２１は、共に遊技球が１つ入賞可能な開口幅をなして上方に開放されている。
【００３１】
始動ゲート１８は、遊技球が潜って通過可能な門形構造をなし、通過した遊技球は、その始動ゲート１８に内蔵した普通図柄始動スイッチによって検出される。そして、その検出信号に基づいて、後述する普通図柄表示領域２４の図柄が変動表示される。
【００３２】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が約１つ入る大きさになっている。そして、遊技盤１１の裏に設けたソレノイドが駆動されると、可動翼片１４Ｃ，１４Ｃが横に倒され、遊技球が可動翼片１４Ｃに案内されて始動入賞口１４に入り得る状態になる。
【００３３】
始動入賞口１４に遊技球が入賞すると、始動入賞口１４内に設けた特別図柄始動スイッチが遊技球を検出し、表示装置１３が後述するように図柄を変動表示する。なお、表示装置１３が図柄を変動表示している間に、始動入賞口１４に入賞した入賞球は、４個まで保留記憶される。
【００３４】
大入賞口１５は、横長に形成されて、常には、可動扉１５Ｔにて閉塞されている。そして、後述する所定条件の成立によって、パチンコ遊技機が「大当たり状態」になると、遊技盤１１の裏に設けたソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能になる。大入賞口１５に遊技球が入賞すると、大入賞口１５内に設けた検出スイッチが遊技球を検出し、その検出信号に基づいて、例えば、１５個の遊技球が賞球として払い出される。そして、所定条件が成立（例えば、可動扉１５Ｔの開放時間が２９秒に達したか、又は、大入賞口１５に遊技球が１０個入賞したか）すると、可動扉１５Ｔが遊技盤１１側に回動して大入賞口１５を閉塞する。
【００３５】
表示装置１３は、遊技盤１１に貫通形成された開口部（図示せず）に対し、遊技盤１１の前面側から取り付けた枠形構造の装飾枠２３（図１を参照）と、遊技盤１１の後面側から取り付けた図示しない液晶モジュール（詳細には、ＴＦＴ−ＬＣＤモジュール）とで構成されている。そして、遊技者は、遊技盤１１の前面側から、装飾枠２３を介して、液晶モジュールに備えた表示部３４を見ることができる。
【００３６】
表示部３４の中央部分には、特別図柄表示領域が設けられ、図１に示すように、通常は、３つの左、中、右の特別図柄１３Ａ，１３Ｂ，１３Ｃが、横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが、表示部３４に確定表示されている。そして、始動入賞口１４に遊技球が入賞したときに当否判定され、各特別図柄１３Ａ，１３Ｂ，１３Ｃが、上下方向にスクロールして変動表示され、所定時間後に、例えば、左、中、右の順で各特別図柄１３Ａ，１３Ｂ，１３Ｃが停止表示される。このとき、例えば、当否判定の結果が当たりで全ての特別図柄１３Ａ，１３Ｂ，１３Ｃが同じ図柄、即ち、ぞろ目になった場合に、遊技が「大当たり状態」になり、可動扉１５Ｔが開かれる。
【００３７】
表示部３４のうち、特別図柄表示領域の左下隅には、普通図柄表示領域２４が設けられている。この普通図柄表示領域２４は、始動ゲート１８内に設けた普通図柄始動スイッチが遊技球の通過を検出したときに当否判定され、例えば、「０」〜「９」までの数字（普通図柄）を所定期間に亘って変動表示した後、所定の数字を確定表示する。そして、確定表示された数字が、例えば、奇数の場合に、前記始動入賞口１４に設けた前記可動翼片１４Ｃ，１４Ｃが所定期間（例えば、０．４秒）に亘って横に倒される。なお、普通図柄表示領域２４で表示する普通図柄は、数字に限るものではなく、アルファベットや記号等でもよい。
【００３８】
図２に示すように、遊技盤１１の後面には、表示装置１３を構成する液晶モジュールの後側に重なるようにして表示制御基板５１が備えられている。また、表示制御基板５１の下側には、ランプ制御基板５２と音声制御基板５０とが横並びにして取り付けられている。そして、これらランプ制御基板５２、音声制御基板５０及び表示制御基板５１の後側に重なるようにして主制御基板４９が取り付けられている。なお、前記各制御基板４９〜５２は、それぞれ透明な樹脂ケースに収容されている。
【００３９】
以上が、遊技盤側集合体を構成する各部品の説明である。次いで、裏機構セット盤側集合体について説明すると、裏機構セット盤７５は、合成樹脂で構成され、全体として遊技盤１１より縦方向に長い矩形状をなす。裏機構セット盤７５の中央部分には、矩形窓７４が形成され、裏機構セット盤７５が、遊技盤保持枠９０の後面に重ねられると、遊技盤保持枠９０に保持された遊技盤１１の各制御基板４９〜５２が、矩形窓７４内に配置される。また、矩形窓７４の縁部には、各制御基板４９〜５２を収容する筐体状のカバー５６が着脱可能に取り付けられている。
【００４０】
裏機構セット盤７５のうちカバー５６（矩形窓７４）より下方には、図２に示すように、払出制御基板５８と電源装置５４とが横並びにして取り付けられている。払出制御基板５８は、主制御基板４９から受けた信号に基づき、後述の賞球払出装置３０及び貸球払出装置３１を駆動して、所定数の遊技球を後述の上皿２７Ａ（図１及び図４を参照）に払い出させる。電源装置５４は、パチンコホールに備えたＡＣ２４Ｖ設備電源から電力を受け、これを所定の電圧に変圧して各部位に配電する。なお、払出制御基板５８と電源装置５４も、個々に透明な樹脂ケースに収容されている。
【００４１】
裏機構セット盤７５の後面のうちカバー５６（矩形窓７４）より上側には、図２に示すように、遊技球タンク７１が設けられている。また、カバー５６（矩形窓７４）の側方部分には、賞球払出装置３０及び貸球払出装置３１が設けられている。そして、遊技球タンク７１と賞球払出装置３０及び貸球払出装置３１との間が、カバー５６の上辺と右側辺に沿って延びた遊技球誘導レール７１Ｒにより連絡されている。
【００４２】
図２に示すように、裏機構セット盤７５のうち各払出装置３０，３１が配された側の側部（図２における右側部）には、上下方向に１対のヒンジ７３，７３が備えられ、これらヒンジ７３，７３によって、裏機構セット盤７５が後述の遊技盤保持枠９０に対して回動可能に組み付けられる。
【００４３】
また、裏機構セット盤７５は、ナイラッチ６８とストッパー６７とを、遊技盤保持枠９０の各部位に係止することで、遊技盤保持枠９０に対して回り止めされ、遊技盤保持枠９０の後面に固定される。ナイラッチ６８は、図２に示すように、裏機構セット盤７５のうちヒンジ７３と反対側の側部に上下方向に対をなして設けられている。このナイラッチ６８を、遊技盤保持枠９０に形成された係止孔（図示せず）に突入させて押し込むと、ナイラッチ６８が係止孔を貫通して、ナイラッチ６８の先端部が係止孔の奥側で係合する。これによりナイラッチ６８が係止孔に抜け止めされ、裏機構セット盤７５の一部が遊技盤保持枠９０に固定される。
【００４４】
ストッパー６７は、裏機構セット盤７５の後面のうち矩形窓７４の下方に貫通形成されたスリット（図示せず）の上縁部に回転可能に取り付けられたレバー構造をなし、そのレバーの内側にリンク部材が連結されている。そして、遊技盤保持枠９０の後面から起立した図示しないフックを前記スリットに挿通させた状態で、ストッパー６７を裏機構セット盤７５側に寝かせることで、リンク部材が前記フックに係止して、裏機構セット盤７５の一部が、遊技盤保持枠９０に固定される。
【００４５】
次に外枠８２について説明する。図３に示すように、外枠８２は、４つの木製の長板８３を縦長矩形状に接合して構成されており、外枠８２のうち両側辺を構成する長板８３の下端部の間には、前面板８４が差し渡され、その前面板８４の下縁部が、下辺を構成する長板８３に接合されている。
【００４６】
外枠８２のうち一方の側辺には、その上下の２箇所に、金属製のヒンジ片８５ａ，８５ｂが取り付けられており、このヒンジ片８５ａ，８５ｂにより、遊技盤保持枠９０が回動可能に備えられている。また、外枠８２のうちヒンジ片８５ａ，８５ｂと反対側の側辺を構成する長板８３には、その上端寄りと下端寄りの内面の２箇所に、図示しない１対の係合部が取り付けられ、この係合部が遊技盤保持枠９０に備えられた被係合部９２，９２と係合する。さらに、外枠８２のうちヒンジ片８５ａ，８５ｂを備えた側の外側面には、図１に示すように、プリペイドカードユニット１０１が取り付けられる。
【００４７】
遊技盤保持枠９０は、例えば、合成樹脂で構成され、図３に示すように、外枠８２の前面のうち前面板８４より上方部分に対応した矩形構造をなす。遊技盤保持枠９０の一方の側辺の上下端部には、金属製の上ヒンジ片９１ａ及び下ヒンジ９１ｂが備えられている。そして、この上ヒンジ片９１ａから突出したヒンジピン１５０を前記外枠８２に設けた上側のヒンジ片８５ａのヒンジ孔１６０に挿入し、外枠８２に備えた下ヒンジ片８５ｂから突出したヒンジピン１７０を前記遊技盤保持枠９０の下側のヒンジ片９１ｂのヒンジ孔１８０に挿入して回動自在に取り付ける。これにより、遊技盤保持枠９０が、外枠８２に対して開閉する。また、前記被係合部９２，９２は、遊技盤保持枠９０のうち、ヒンジ片９１ａ，９１ｂが備えられた側と反対側の側辺に備えられており、上記したように外枠８２に備えられた係合部と係合することで、遊技盤保持枠９０が外枠８２に対して回り止めされる。
【００４８】
図３に示すように、遊技盤保持枠９０には、略矩形の遊技窓９０Ｗが形成されており、遊技盤保持枠９０の前面側（図３における左側）から挿入された遊技盤１１の遊技領域Ｒ１を、遊技者は遊技盤保持枠９０の前面側から視認可能となっている。
【００４９】
遊技盤保持枠９０のうち、遊技窓９０Ｗの周縁部に形成された奥壁９８の上辺部分に、は、１対の棒部材８０，８０が前方に向かって起立している。この棒部材８０は遊技盤１１の上辺部分に形成された略円弧状の凹所８１，８１（図３を参照）に対応した略円柱形状をなしており、遊技盤１１を遊技盤保持枠９０に嵌め込むと、棒部材８０が凹所８１内に突入する。これにより、囲壁９３内での遊技盤１１の位置ずれを確実に防止することができる。
【００５０】
遊技盤保持枠９０の前面、即ち、遊技者側の面には、ガラス枠９５が設けられている。ガラス枠９５の一方の側辺の上下端に設けられたヒンジ部９５ａ，９５ｂは、遊技盤保持枠９０のうちヒンジ片９１ａ，９１ｂと同じ側に上下に備えられたヒンジ片９４Ａ，９４Ｂに係合されている。これにより、ガラス枠９５は、遊技盤保持枠９０に対して回動可能に取り付けられている。ガラス枠９５は、遊技窓９０Ｗより一回り小さな窓９５Ｗを備えて、そこにガラス板９５Ｇが張られている。また、図３に示すように、ガラス枠９５の前面のうち窓９５Ｗの縁部には、装飾ランプ９６が配されている。なお、ガラス板９５Ｇが、本発明の「透光板」に相当し、ガラス枠９５が、本発明の「透光板枠」に相当する。
【００５１】
図３に示すように、遊技盤保持枠９０の前面のうちガラス枠９５の下方には、横長の回動板９７が、ガラス枠９５と同様に、遊技盤保持枠９０に対して回動可能に取り付けられている。詳細には、回動板９７の一方の側辺の上下端には、ヒンジ部５００ａ，５００ｂ（図９を参照）が設けられ、上側のヒンジ部５００ａが遊技盤保持枠９０の前記ヒンジ片９４Ｂと係合し、下側のヒンジ部５００ｂが遊技盤保持枠９０のヒンジ片９４Ｃと係合することで、回動可能に構成されている。また、この回動板９７には、前方に張り出した上皿２７Ａが取り付けられ、遊技盤保持枠９０のうち回動板９７の下方に、下皿２７Ｂが取り付けられている。そして、遊技を行った場合の賞球としての遊技球が、上皿２７Ａに払い出され、上皿２７Ａが満タンになり、入りきらなくなった遊技球は自動的に下皿に払い出される。また、上皿２７Ａに設けたボタン２９を押した場合も、上皿２７Ａに貯留された遊技球が下皿２７Ｂに移動する。ここで、上皿２７Ａは、本発明の「前面部材」若しくは「遊技球貯留皿」に相当し、回動板９７は、本発明の「遊技球貯留皿セット部材」に相当する。
【００５２】
なお、回動板９７の前面のうち、上皿２７Ａより上側には、回動板９７の上辺に沿って球貸し操作部が備えられている。球貸し操作部には、球貸しボタン１０３と返却ボタン１０５とが備えられ、これら両ボタン１０３，１０５の間に、プリペイドカードの残高を表示する残高表示部１０４が備えられている。そして、プリペイドカードユニット１０１のカード挿入口１０２（図１を参照）に、予め購入したプリペイドカードを挿入して、球貸し操作部の球貸しボタン１０３（図１を参照）を押すと、所定数の遊技球が、パチンコ遊技機の後側に備えられた貸球払出装置３１（図２を参照）によって、上皿２７Ａに払い出される。また、返却ボタン１０５を押すと、プリペイドカードユニット１０１に挿入中のプリペイドカードが取り出される。
【００５３】
上皿２７Ａの左右の両端部寄り位置には、１対のスピーカ５９Ｓ，５９Ｓが設けられ、下皿２７Ｂの右端部には、遊技者が操作する操作ノブ２８が設けられている。これらスピーカ５９Ｓ、操作ノブ２８及び前記装飾ランプ９６等は、パチンコ遊技機の所定の電気回路にコネクタ接続されている。そして、遊技者が操作ノブ２８を操作すると、遊技盤保持枠９０の下端部に備えられた発射装置５３（図３を参照）が駆動して、上皿２７Ａに収容された遊技球が遊技盤１１上の遊技領域Ｒ１に向けて弾き出され、遊技の進行状況に応じて、装飾ランプ９６及びスピーカ５９Ｓが駆動される。
【００５４】
ところで、上述したガラス枠９５と回動板９７は、以下に説明する係合機構によって、それぞれ遊技盤保持枠９０に対して離脱不能に係合（回り止め）されている。遊技盤保持枠９０とガラス枠９５との係合機構は、図４に示されており、遊技盤保持枠９０に備えられた機構部３００と、ガラス枠９５に備えられたフック（係合部）３０５とから構成される。
【００５５】
機構部３００は、遊技盤保持枠９０のうち、ガラス枠９５が取り付けられるヒンジ片９４Ａ，９４Ｂと反対側（図６における右側）の側辺に取り付けられている。機構部３００は、遊技盤保持枠９０に固定されて、遊技盤保持枠９０の前面から直立した固定基部３０１と、その固定基部３０１に対して上下方向にスライド可能に敷設された可動板３０２とから構成される。
【００５６】
固定基部３０１は上下方向に延びており、その長手方向の両端部には、パチンコ遊技機の前方に向かって開放した１対の切り欠き部３０３，３０３が形成されている。一方、可動板３０２は、上下方向に延びた金属板の両端部に、前方に向かって起立した１対の係合片３０４，３０４を備える。係合片３０４は、矢尻形状をなしており、可動板３０２のうち係合片３０４の基端側には、上方に開放した切り欠き部３０６Ｃが形成されている。そして、固定基部３０１に形成された切り欠き部３０３と可動板３０２に形成された切り欠き部３０６Ｃとが対応した配置となっている。
【００５７】
可動板３０２のうち、係合片３０４寄りの２箇所には、１対の長孔３０７，３０７が形成され、各長孔３０７，３０７には、固定基部３０１から起立したピン３０８，３０８が挿通されている。そして、このピン３０８によって、可動板３０２が長孔３０７に沿った方向、即ち、上下方向にスライド可能となっている。また、可動板３０２の上端部には、一端を固定基部３０１に固定されたコイルバネ３０９の他端が係止されている。このコイルバネ３０９によって、ピン３０８が長孔３０７の下端部に当接され、可動板３０２が上方に付勢されている（図４の状態）。
【００５８】
一方、ガラス枠９５に備えられたフック３０５，３０５は、ガラス枠９５の後面のうち、ヒンジ部９５ａ，９５ｂが備えられた側辺と反対側の側辺のうち、ガラス枠９５を遊技盤保持枠９０の前面に重ねたときに、機構部３００の固定基部３０１に形成された切り欠き部３０３，３０３に対向する位置に設けられている。フック３０５，３０５は、ガラス枠９５の後面から後方に向かって直立し、途中で下方に向かってほぼ直角に折れ曲がった金属板で構成されている。
【００５９】
そして、このガラス枠９５側のフック３０５，３０５を遊技盤保持枠９０側の機構部３００に備えられた固定基部３０１の切り欠き部３０３の奥側に向かって挿入すると、フック３０５の傾斜部３０５Ｋが係合片３０４の傾斜部３０４Ｋに当接して、可動板３０２が下方へスライドする。フック３０５が切り欠き部３０３の最も奥部に達すると、可動板３０２がコイルバネ３０９によって上方へ引き戻されて、フック３０５の先端部３０５Ｓ（より詳細には、先端部３０５Ｓのうち傾斜部３０５Ｋと反対側の面３０５Ｃ）と可動板３０２の切り欠き部３０６Ｃとが離脱不能に係合する。これにより、ガラス枠９５が遊技盤保持枠９０に対して回り止めされる。なお、機構部３００は、ガラス枠９５の遊技盤保持枠９０に対する回り止め（閉止）状態を解除するための鍵部４００（図１を参照）と連動している。即ち、鍵部４００に鍵を挿入し、その鍵を回動することによって、可動板３０２の全体を固定基部３０１に対して下方にスライド移動させて、フック３０５と切り欠き部３０６Ｃとの係合を解除することが可能となっている。
【００６０】
回動板９７と遊技盤保持枠９０との係合機構は、図５に示されており、回動板９７に備えられた機構部２００と、遊技盤保持枠９０に備えられた係合部材２０５とから構成される。なお、回動板９７の係合機構のうち、機構部２００の構成は、ガラス枠９５と遊技盤保持枠９０との係合機構における遊技盤保持枠９０側の機構部３００とほぼ同じ構成となっている。即ち、回動板９７を回り止めするための回動板９７側に設けられた機構部２００もガラス枠９５を回り止めするための遊技盤保持枠９０側に設けられた機構部３００と同様に固定基部２０１と可動板２０２とを備え、可動板２０２が固定基部２０１に対して上下にスライドする。
【００６１】
詳細には、回動板９７側に備えられた機構部２００のうち、固定基部２０１は、上下方向に延びた金属板のほぼ中間部分に、回動板９７の後方（図５における左側）に向かって開放した切り欠き部２０３を備える。一方、可動板２０２は、回動板９７の後方側に向かって起立した係合片２０４を備える。係合片２０４は、矢尻状をなしており、可動板２０２のうち係合片２０４の基端側には、上方に開放した切り欠き部２０６Ｃが形成されている。そして、固定基部２０１に形成された切り欠き部２０３と可動板２０２に形成された切り欠き部２０６Ｃとが対応した配置となっている。
【００６２】
可動板２０２の両端寄り位置には、１対の長孔２０７，２０７が形成され、各長孔２０７，２０７には、固定基部２０１から起立したピン２０８，２０８が挿通されている。このピン２０８により、可動板２０２が長孔２０７に沿った上下方向にスライド可能となっている。また、可動板２０２には、一端を固定基部２０１に固定したコイルバネ２０９の他端が係止されており、このコイルバネ２０９によって、ピン２０８が長孔２０７の下端部に当接され、可動板２０２が上方に付勢されている（図５の状態）。
【００６３】
一方、遊技盤保持枠９０に備えられた係合部材２０５は、遊技盤保持枠９０の前面に備えられている。詳細には、係合部材２０５は、遊技盤保持枠９０の前面のうち、回動板９７を遊技盤保持枠９０の前面に重ねたときに回動板９７に備えた機構部２００と対向する位置に設けられている（図９を参照）。係合部材２０５は、遊技盤保持枠９０の前面から前方に向かって直立し、途中で遊技盤保持枠９０の側辺に向かって直角に折れ曲がった金属板で構成されている（図６を参照）。また、係合部材２０５の前端部には、爪部２０５Ｔが下方に向かって延設されている。ここで、爪部２０５Ｔの前面側は傾斜部２０５Ｋとなっており、傾斜部２０５Ｋと反対側には切り欠き部２０５Ｃが形成されている（図５を参照）。
【００６４】
そして、回動板９７を遊技盤保持枠９０に対して回動し、遊技盤保持枠９０の前面に押し付けると、回動板９７の機構部２００と遊技盤保持枠９０の係合部材２０５とが係合する。これを詳細に説明すると、回動板９７が遊技盤保持枠９０の前面に重なると、機構部２００に備えられた固定基部２００の切り欠き部２０３と、遊技盤保持枠９０の係合部材２０５とが対向する。この状態で、回動板９７を遊技盤保持枠９０側に押し付けると、回動板９７の係合片２０４に形成された傾斜部２０４Ｋが、遊技盤保持枠９０の係合部材２０５の傾斜部２０５Ｋに当接する。回動板９７をさらに遊技盤保持枠９０側に移動させると、機構部２００が遊技盤保持枠９０の前面に向かって移動し、係合部材２０５と係止片２０４との当接位置が切欠き部２０６Ｃ側へ移動する。これに伴なって可動板２０２が下方へスライドする。そして、係合片２０４が係合部材２０５（爪部２０５Ｔ）に形成された切り欠き部２０５Ｃよりも遊技盤保持枠９０側の位置となると、可動板２０２がコイルバネ２０９によって上方へ引き戻されて、係合部材２０５の切り欠き部２０５Ｃと可動板２０２の切り欠き部２０６Ｃとが離脱不能に係合する。これにより、回動板９７が遊技盤保持枠９０に対して離脱不能に係合（回り止め）される。
【００６５】
ここで、回動板９７の機構部２００の上端部に形成された操作部２１０を下方に押し込むと、可動板２０２が下方にスライドして、係合部材２０５の切り欠き部２０５Ｃと係合片２０４の切り欠き部２０６Ｃとの係合状態が解除され、回動板９７の遊技盤保持枠９０に対する係合（回り止め）状態を解除することができる。
【００６６】
なお、本実施形態では、ガラス枠９５と回動板９７とが、それぞれ上述した係合機構によって遊技盤保持枠９０に対して回り止めされた場合、回動板９７の上辺の前側にガラス枠９５の下辺が重なるように構成されている（図１１の（Ａ）を参照）。詳細には、回動板９７の上辺には、前方に開放した溝部９７Ｊが形成され、ガラス枠９５の下辺にはガラス枠９５の裏面側に開放した溝部９５Ｒが形成され、これら溝部９７Ｊ，９５Ｒが互いに重なりあって係合可能となっている。このため、ガラス枠９５と回動板９７を遊技盤保持枠９０に対して閉止状態に固定（回り止め）する場合には、まず、回動板９７を遊技盤保持枠９０に閉止状態に固定した後で、ガラス枠９５を遊技盤保持枠９０に対して閉止状態とする。これにより、回動板９７が遊技盤保持枠９０に対して回り止めされていない場合には、ガラス枠９５を遊技盤保持枠９０に対して回り止めすることが不可能となっている。
【００６７】
さて、図６に示すように、遊技盤保持枠９０の前面側には、遊技窓９０Ｗを囲むように囲壁９３が形成されている。そして、この囲壁９３の内部に前記遊技盤１１が嵌合され、囲壁９３に備えた複数の遊技盤保持レバー１１４にて遊技盤１１が遊技盤保持枠９０に係脱可能に固定される。詳細には、遊技盤保持レバー１１４は、例えば、遊技盤保持枠９０のうち囲壁９３の両側辺に１対ずつの計４つ設けられている。そして、遊技盤保持レバー１１４の各々は、螺子１２０に貫通されて、その螺子１２０を遊技盤保持枠９０に形成された支柱９９に螺合することで、遊技盤保持枠９０に対して螺子１２０を中心に回転可能に保持されている。
【００６８】
遊技盤保持レバー１１４は、係止突片１１４Ｋを張り出して備える。係止突片１１４Ｋは、遊技盤保持レバー１１４を囲壁９３に沿って寝かした係止状態（図３の状態）のときには、囲壁９３の内側に突出し、遊技盤保持レバー１１４が囲壁９３から外側へ直立した非係止状態のときには、囲壁９３の外側位置へ退避するように構成されている。そして、遊技盤保持枠９０の囲壁９３内に遊技盤１１を嵌め込んだ状態で遊技盤保持レバー１１４を回動して係止状態とすると、係止突片１１４Ｋが遊技盤１１の前面側に配置されて、遊技盤１１が係止突片１１４Ｋと遊技盤保持枠９０の奥壁９８との間に挟持される。
【００６９】
ここで、遊技盤保持枠９０の後面側には、遊技盤保持レバー１１４と同一構成の裏機構セット盤保持レバー７７が備えられている。裏機構セット盤保持レバー７７は、遊技窓９０Ｗの両側部と上辺中央位置とに全部で５つ備えられている（図２を参照）。そして、裏機構セット盤７５を遊技盤保持枠９０の後面に当接させた状態で、裏機構セット盤保持レバー７７を係止状態とすると、裏機構セット盤保持レバー７７に備えられた係止突片７７Ｋが裏機構セット盤７５の後面側に配置され、裏機構セット盤７５が係止突片７７Ｋと遊技盤保持枠９０との間に挟持される。
【００７０】
さて、遊技盤保持枠９０の前面のうち、遊技窓９０Ｗの下辺部分には、回転係合レバー６９（本発明の「第１係合部材」、「係合レバー」に相当する）が備えられている。詳細には、回転係合レバー６９は、図３に示すように、遊技窓９０Ｗの下辺部分のうち、中央よりやや発射装置５３寄りの位置に設けられている。回転係合レバー６９は、図６に示すように、回転係合レバー６９の中心部を貫通した螺子１２１によって遊技盤保持枠９０に回転可能に軸支されている。そして、回転係合レバー６９を非保持位置（図８の破線で示した状態）にして遊技盤１１を遊技盤保持枠９０の前面側から囲壁９３の内側に嵌合した後で、保持位置（図８の実線で示した状態）に回転することで回転係合レバー６９によって遊技盤１１の下辺部分の一部が遊技盤保持枠９０との間に挟持される。即ち、遊技盤１１の一部を回転係合レバー６９によって遊技盤保持枠９０の奥壁９８側へ押し止めすることで、遊技盤１１が遊技盤保持枠９０に離脱不能に保持される。
【００７１】
回転係合レバー６９は、図７に拡大して示すように、円板部１１５から摘み部１１６を起立して備え、中心部には貫通孔１１９が形成されている。貫通孔１１９のうち回転係合レバー６９の裏面側は、大径部１１９Ａをなし、回転係合レバー６９の表面側は大径部１１９Ａに向かうに従って先細りとなったテーパー構造の小径部１１９Ｂとなっている（図１１の（Ａ）参照）。そして、大径部１１９Ａの内部に、遊技盤保持枠９０から起立した円柱体１３０（図６を参照）が嵌合され、小径部１１９Ｂ側から通した螺子１２１が、円柱体１３０の中心部に形成した螺子孔に螺合される。なお、螺子１２１の頭部と回転係合レバー６９との間には、滑りのよい樹脂製ワッシャ１２２が挟まれており、この樹脂製ワッシャ１２２を小径部１１９Ｂ内に配置して螺子１２１が円柱体１３０に螺合される。ここで、円柱体１３０が本発明の「軸部」に相当する。
【００７２】
摘み部１１６は、壁形状をなしており、円柱体１３０に直交しかつ円板部１１５の直径方向に延びている。摘み部１１６のうち、一方の端部１１６Ｂは、円板部１１５の外周縁よりも外側に突出している。また、その突出した端部１１６Ｂのうち、回転係合レバー６９の裏面には突条１０６が形成されている。なお、摘み部１１６の両側面は凹凸形状をなしており、作業者が摘み部１１６を摘んで操作するときの滑り止めとなっている。
【００７３】
摘み部１１６のうち、貫通孔１１９を挟んで前記端部１１６Ｂと反対側の部分は段付形状をなしている。そして、摘み部１１６のうち、端部１１６Ｂと反対側の端部１１６Ａには、遊技盤１１を遊技盤保持枠９０に押さえるための押さえ片１２４（本発明の「遊技盤押さえ部」に相当する）が形成されている。押さえ片１２４は、摘み部１１６の端部１１６Ａから円板部１１５の径方向に向かって延設されており、円板部１１５よりも外側へ張り出している。
【００７４】
押さえ片１２４には、全体としてブロック状をなした干渉凸部１２５が突出形成されている。詳細には、干渉凸部１２５は、略長方体形状をなし、回転係合レバー６９を遊技盤保持枠９０に組み付けた場合に、回転係合レバー６９の押さえ片１２４のうち回動板９７と対向する側の面から回動板９７側（円板部１１５から離れる側）に向かって突出するように構成されている。
【００７５】
なお、遊技盤１１が遊技盤保持枠９０の囲壁９３に嵌め込まれた状態において、転係合レバー６９を保持位置としたときに、押さえ片１２４の遊技盤１１に対向する面には、回遊技盤１１の前面に当接する突条１０７が形成されている。このように、押さえ片１２４に突条１０７を形成し、遊技盤１１と押さえ片１２４との接触する部分を小さくすることにより、回転係合レバー６９を回動操作して遊技盤１１を押さえるときに、遊技盤１１の一部と押さえ片１２４との摩擦力を小さく抑えることができ、回転係合レバー６９を、上記した保持位置と非保持位置との間でスムーズに移動することができる。また、摘み部１１６の内部は空洞になっており、その空洞が円板部１１５の裏面（遊技盤保持枠９０に対向する面）に開放している。
【００７６】
ここで、遊技盤保持枠９０のうち、回転係合レバー６９の取り付け部分の構成は以下のようである。図６に示すように、遊技盤保持枠９０のうち、前述した円柱体１３０の周囲には、遊技盤保持枠９０の前側に向かって起立した円弧壁１３１が形成されている。そして、円柱体１３０に回転係合レバー６９の貫通孔１１９が挿入され、回転係合レバー６９が円弧壁１３１によって形成された略円形の空間内に配置されている。円弧壁１３１は上方に開放しており、この開口部分から、回転係合レバー６９の押さえ片１２４が、遊技盤１１が嵌合される囲壁９３の内側へ突出する（図３及び図８の状態）。
【００７７】
また、図８に示すように、円弧壁１３１の内周面に沿った２箇所には、遊技盤保持枠９０の前面から突出した突起部１３２，１３２が突出している。具体的には、突起部１３２は、円柱体１３０の略真下位置と、円柱体１３０の略左側方位置とに円柱体１３０を中心として約６０°の間隔をあけて設けられている。そして、回転係合レバー６９の押さえ片１２４（より詳細には、突条１０７）により遊技盤１１を遊技盤保持枠９０に保持する保持位置（図８における実線で示した状態）となったときには、回転係合レバー６９の摘み部１１６のうち、円板部１１５よりも外側へはみ出した端部１１６Ｂと、円柱体１３０の略真下位置に設けられた突起部１３２とが当接する。これにより、回転係合レバー６９の図８における反時計回り方向への回り止めがなされる。また、回転係合レバー６９を保持位置から時計回りに回動すると、回転係合レバー６９の端部１１６Ｂが円柱体１３０の略左側方位置に設けられた突起部１３２に当接する。これにより回転係合レバー６９の図８における時計回り方向への回り止めがなされる。つまり回転係合レバー６９によって遊技盤１１を遊技盤保持枠９０に押さえ、挟持する（回転係合レバー６９を保持位置とする）場合には、回転係合レバー６９が突起部１３２と当接して突き当たるまで（回転不能となるまで）反時計回りに回転操作すればよく、回転係合レバー６９による遊技盤１１の挟持を解除する（回転係合レバー６９を非保持位置とする）場合には、回転係合レバー６９が突起部１３２と突き当たるまで（回転不能となるまで）時計回りに回転操作すればよい。
【００７８】
なお、本実施形態では、回転係合レバー６９のうち干渉凸部１２５を含む押さえ片１２４が発射装置５３から発射された遊技球の通過軌道よりも上方に配置され、回転係合レバー６９のうち干渉凸部１２５を含む押さえ片１２４を除いた部分と円弧壁１３１とが、発射装置５３から発射された遊技球の通過経路よりも奥側（図９における紙面に対して奥側）に配置されているので、回転係合レバー６９及び円弧壁１３１によって、発射装置５３から発射された遊技球の進路が妨げられることはない。
【００７９】
ところで、回動板９７を遊技盤保持枠９０に対して回動して遊技盤保持枠９０の前面に重ねると、回転係合レバー６９は全体が回動板９７によって覆われる。そして、図９に示すように、回動板９７の裏面のうち、遊技盤保持枠９０の前面に重ねたときに回転係合レバー６９と対向する位置には、突出壁１４０（本発明の「受け凸部」に相当する）と矩形凹所１４１（本発明の「干渉凸部収納空間」に相当する）とが形成されている。
【００８０】
突出壁１４０は、全体として円弧形状をなし、回動板９７の裏面から後方、即ち、遊技盤保持枠９０の前面側に向かって突出している。突出壁１４０は、図１０に拡大して示すように回動板９７の後面略中央に設けられて、後方（図９及び図１０における紙面手前側）に突出した横長のケース１５５の一側部から湾曲しながら下方に延びている。ここで、突出壁１４０の形状は、回転係合レバー６９が保持位置以外の位置、即ち、非保持位置にあるときの干渉凸部１２５の移動位置の全般に対応している。
【００８１】
換言すれば、回転係合レバー６９が保持位置ではない場合、即ち、回転係合レバー６９の摘み部１１６が垂直方向に対して傾いた非保持位置（図８における破線で示された位置）である場合に、回動板９７を遊技盤保持枠９０の前面に重ねると、回転係合レバー６９に形成された干渉凸部１２５に対して、突出壁１４０の何れかの部分が対向して突き当たる（図１１の（Ｂ）の状態）ように構成されている。そして、この図１１の（Ｂ）に示したような干渉凸部１２５と突出壁１４０とが突き当たった状態における回動板９７と遊技盤保持枠９０との位置関係が、本発明の「第２位置状態」に相当する。なお、ケース１５５内には、例えば、プリペイドカードの残高を残高表示部１０４に表示するための制御基板６１（図１を参照）が収容されている。
【００８２】
一方、回転係合レバー６９が保持位置の場合には、回動板９７を遊技盤保持枠９０の前面に重ねると、回転係合レバー６９の摘み部１１６に形成された干渉凸部１２５が突出壁１４０に当接することがない。つまり、摘み部１１６の干渉凸部１２５は、突出壁１４０の側方で、ケース１５５の一部に陥没形成された縦長の矩形凹所１４１内に収容される（図１１の（Ａ）の状態）。そして、干渉凸部１２５が矩形凹所１４１（本発明の「干渉凸部収納空間」）に収納された状態における回動板９７と遊技盤保持枠９０との位置関係が、本発明の「第１位置状態」に相当する。
【００８３】
次に、上記構成からなる本実施形態の作用・効果を説明する。
遊技盤１１を遊技盤保持枠９０に組み付ける場合には、遊技盤保持枠９０の前面側から遊技盤１１を囲壁９３の内側に嵌め込む。このとき、予め、遊技盤保持レバー１１４を囲壁９３から外側に直立した状態としておき、回転係合レバー６９は、押さえ片１２４が囲壁９３の内側に突出しないように、非保持位置（図８の破線で示した状態）としておく。
【００８４】
遊技盤１１を囲壁９３の内側に嵌め込んだら、遊技盤保持枠９０の両側辺に備えられた４つの遊技盤保持レバー１１４と回転係合レバー６９を回動操作して、遊技盤１１を遊技盤保持枠９０に固定する。即ち、遊技盤保持レバー１１４を約９０°回動して囲壁９３に沿って寝かした係止状態とし、係止突片１１４Ｋと遊技盤保持枠９０との間に遊技盤１１を押さえ挟持する。また、回転係合レバー６９を図８における反時計回り方向に回転させて保持位置（図８の実線で示した状態）とし、押さえ片１２４（より詳細には、突条１０７）と遊技盤保持枠９０との間で遊技盤１１を押さえ、挟持する（図１１の（Ａ）を参照）。
【００８５】
ここで、回転係合レバー６９を操作する場合には、摘み部１１６を摘んで回転操作すればよいので、回転係合レバー６９の操作性が向上する。また、保持位置又は非保持位置とする場合には、回転係合レバー６９が止まるまで反時計回り又は時計回りの方向に回転させればよいので、容易かつ確実に回転係合レバー６９を保持位置又は非保持位置とすることができる。
【００８６】
遊技盤１１を遊技盤保持枠９０に固定したら、遊技盤保持枠９０の前面に回動板９７及びガラス枠９５を取り付ける。回動板９７を取り付ける場合には、まず、回動板９７の一方の側辺に備えたヒンジ部５００ａ，５００ｂをそれぞれ遊技盤保持枠９０のヒンジ片９４Ｂ、９４Ｃに固定する。次いで、このヒンジ片９４Ｂ，９４Ｃを中心にして、回動板９７を遊技盤保持枠９０に対して回動し、回動板９７を遊技盤保持枠９０の前面に重ねて固定する。ここで、回転係合レバー６９は遊技盤１１を保持した保持位置となっているので、図１０に示すように、回転係合レバー６９に備えられた干渉凸部１２５が、回動板９７の裏面に形成された矩形凹所１４１内に収容される。つまり、回動板９７と遊技盤保持枠９０との位置関係が、本発明における「第１位置状態」となる。そして、回動板９７を遊技盤保持枠９０の前面側に押し付けると、回動板９７の裏面側に備えた機構部２００と遊技盤保持枠９０の前面側に備えた係合部材２０５とが係合され、回動板９７が遊技盤保持枠９０に対して閉止状態に固定される。
【００８７】
詳細には、回動板９７を回動して遊技盤保持枠９０の前面に近づけると、まず、係合部材２０５の先端の爪部２０５Ｔの傾斜部２０５Ｋと、機構部２００の係合片２０４の傾斜部２０４Ｋとが当接する。係合部材２０５が固定基部２０１に形成された切り欠き部２０３の奥部に進入するに従って係合片２０４が徐々に下方に押し込まれ、可動板２０２の全体がコイルバネ２０９の付勢力に抗して固定基部２０１に対して下方にスライドする。係合部材２０５の爪部２０５Ｔの傾斜部２０５Ｋが係合片２０４の傾斜部２０４Ｋを越え、固定基部２０１の切り欠き部２０３の奥部まで突入すると、可動板２０２はコイルバネ２０９の付勢力によって、上方へ引き上げられる。すると、係合部材２０５の切り欠き部２０５Ｃが、可動板２０２のうち係合片２０４の基端側に形成された切り欠き部２０６Ｃ内に突入して係止される（図５の状態）。つまり、回動板９７の機構部２００と遊技盤保持枠９０の係合部材２０５との係合が許容され、回動板９７の回動中心と反対側の側辺が遊技盤保持枠９０に対して係合することにより、回動板９７が遊技盤保持枠９０に対して離脱不能に固定される。
【００８８】
次いで、遊技盤保持枠９０にガラス枠９５を取り付ける。ガラス枠９５を取り付ける場合には、まず、ガラス枠９５の一方の側辺に備えたヒンジ部９５ａ，９５ｂをそれぞれ遊技盤保持枠９０のヒンジ片９４Ａ、９４Ｂに固定する。次いで、このヒンジ片９４Ａ，９４Ｂを中心にして、ガラス枠９５を遊技盤保持枠９０に対して回動し、ガラス枠９５を遊技盤保持枠９０の前面に重ねて固定する。ここで、回動板９７が遊技盤保持枠９０に固定された状態で、ガラス枠９５を遊技盤保持枠９０の前面側に押し付けると、ガラス枠９５の後面側に備えたフック３０５，３０５と遊技盤保持枠９０の前面側に備えた機構部３００とが係合され、ガラス枠９５が遊技盤保持枠９０に対して閉止状態に固定される。
【００８９】
詳細には、ガラス枠９５を回動して遊技盤保持枠９０の前面に近づけると、まず、ガラス枠９５に設けられた１対のフック３０５の先端部３０５Ｓの傾斜部３０５Ｋと機構部３００に備えた１対の係合片３０４の傾斜部３０４Ｋとが当接する。フック３０５が遊技盤保持枠９０に備えた機構部３００のうち、固定基部３０１に形成された切り欠き部３０３の奥部に進入するのに従って、フック３０５と係合片３０４との当接位置が切り欠き部３０６Ｃ側に移動して、係合片３０４が徐々に下方に押し込まれ、可動板３０２の全体がコイルバネ３０９の付勢力に抗して固定基部３０１に対して下方にスライドする。フック３０５の先端部３０５Ｓが係合片３０４の傾斜部３０４Ｋを越え、固定基部３０１の切り欠き部３０３の奥部まで突入すると、可動板３０２はコイルバネ３０９の付勢力によって、上方に引き上げられる。すると、フック３０５の先端部３０５Ｓ（より詳細には、先端部３０５Ｓの傾斜部３０５Ｋと反対側の面３０５Ｃ）が、可動板３０２のうち係合片３０４の基端側に形成された切り欠き部３０６Ｃ内に突入して係合される（図４の状態）。つまり、遊技盤保持枠９０の機構部３００とガラス枠９５のフック３０５，３０５とが係合されることで、ガラス枠９５の回動中心と反対側の側辺が遊技盤保持枠９０に対して離脱不能に固定される。
【００９０】
ところで、回転係合レバー６９による遊技盤１１の保持が不完全な状態、即ち、回転係合レバー６９が、遊技盤１１を遊技盤保持枠９０に押さえつけて挟持していない非保持位置（図８における破線で示した状態）のままで、回動板９７を遊技盤保持枠９０に対して閉止状態に固定（回り止め）しようとすると以下のようになる。
【００９１】
回動板９７を遊技盤保持枠９０に対して回動し、回動板９７を遊技盤保持枠９０の前面側に近づけると、図１１の（Ｂ）に示すように、回転係合レバー６９の押さえ片１２４から後側に突出した干渉凸部１２５が、回動板９７の裏面から突出した突出壁１４０（本発明の「受け凸部」）の先端面に当接する。すると、回動板９７は、これ以上、遊技盤保持枠９０側へ回動することが不可能となり、回動板９７の裏面と遊技盤保持枠９０の前面との間には、回転係合レバー６９を保持位置として回動板９７を遊技盤保持枠９０の前面に重ねた場合と比較して、大きな隙間が形成される。そして、この隙間が形成された状態における回動板９７と遊技盤保持枠９０との位置関係が、本発明における「第２位置状態」となる。
【００９２】
このとき、回動板９７に備えた機構部２００と遊技盤保持枠９０に備えた係合部材２０５とは以下のようになる。即ち、遊技盤保持枠９０の係合部材２０５は、図１２に示すように、回動板９７を遊技盤保持枠９０に対して回動し、機構部２００を係合部材２０５に押し付けることで機構部２００（固定基部２０１）の切り欠き部２０３の途中部分まで突入するが、干渉凸部１２５と突出壁１４０との当接によって形成された隙間によって、係合部材２０５が切り欠き部２０３の最も奥部まで突入することが規制される。つまり、係合部材２０５の爪部２０５Ｔを、切り欠き部２０３の奥部まで突入させて爪部２０５Ｔの切り欠き部２０５Ｃと可動板２０２に形成された切り欠き部２０６Ｃとが係合することが禁止される。これにより、回動板９７を遊技盤保持枠９０に対して回り止めすることが不可能（係合不能）となる。ここで、本実施形態においては、回動板９７を遊技盤保持枠９０に対して回り止めする係合機構（係合部材２０５と機構部２００）が、本発明の「第２係合部材」に相当すると共に、回動板９７に備えた機構部２００が、本発明の「前面部材に備えられた係合部」に相当し、遊技盤保持枠９０に備えた係合部材２０５が、本発明の「遊技盤保持枠に備えられた係合部」に相当する。
【００９３】
さらに、本実施形態では、ガラス枠９５は、回動板９７の上辺の前側にガラス枠９５の下辺が重なるようにして配置されているので、回動板９７と遊技盤保持枠９０との間に隙間が生じ、回動板９７を遊技盤保持枠９０に対して閉止状態に固定することが不可能となると、ガラス枠９５と遊技盤保持枠９０との間にも、ほぼ同じ大きさの隙間が生じて、ガラス枠９５と遊技盤保持枠９０とを係合機構（フック３０５及び機構部３００）によって係合することが不可能となる。つまり、ガラス枠９５を遊技盤保持枠９０に対して回り止めすることも不可能となる。
【００９４】
このように本実施形態によれば、回転係合レバー６９が遊技盤１１を保持していない非保持位置の場合には、回転係合レバー６９に備えられた干渉凸部１２５と回動板９７に形成された突出壁１４０とが衝突するので、回動板９７と遊技盤保持枠９０との間に隙間が生じる。すると、回動板９７と遊技盤保持枠９０とに備えられた係合機構（係合部材２０５及び機構部２００）によって回動板９７と遊技盤保持枠９０とが係合不可能となる。つまり、回転係合レバー６９による遊技盤１１の保持が不完全なままでは、回動板９７を遊技盤保持枠９０に対して閉止状態に固定（回り止め）できないので、遊技盤１１の組み付け不良を確実に防止することができる。
【００９５】
また、突出壁１４０は、回転係合レバー６９の保持位置以外の位置（非保持位置）の全体に亘って設けられているので、回転係合レバー６９が確実に保持位置にある場合にのみ、回動板９７と遊技盤保持枠９０との係合が可能となる。これにより、より確実に遊技盤１１の組み付け不良を防止することができる。
【００９６】
しかも、回動板９７とガラス枠９５とを遊技盤保持枠９０に対して閉止状態に固定する場合には順序があり、回動板９７を遊技盤保持枠９０に対して閉止状態に固定した後で、ガラス枠９５を閉止状態に固定する。これにより、回転係合レバー６９による遊技盤１１の組み付けが不完全な場合には、ガラス枠９５を遊技盤保持枠９０に対して固定操作する前に、遊技盤１１の組み付け不良を認識できるので、組み付け作業において、より早い段階で遊技盤１１の組み付け不良を発見することができる。
【００９７】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記実施形態では、回転係合レバー６９を、遊技盤保持枠９０の遊技窓９０Ｗの下辺のうち、発射装置５３寄りの位置に取り付けていたが、遊技盤１１を遊技盤保持枠９０の前面側で、遊技盤１１を遊技盤保持枠９０との間に保持可能な位置であれば、この位置に限るものではない。
【００９８】
（２）前記実施形態では、回転係合レバー６９を、遊技盤保持枠９０のうちの回動板９７によって覆われる位置に配置していたが、例えば、遊技盤保持枠９０のうちのガラス枠９５によって覆われる位置に配置し、ガラス枠９５の裏面の回転係合レバー６９に対向する位置に、後方に突出した突出壁を起立形成してもよい。このようにすれば、回転係合レバー６９が遊技盤１１を保持していない非保持位置にある場合に、ガラス枠９５を遊技盤保持枠９０の前面側に配置したときに、ガラス枠９５の突出壁と遊技盤保持枠９０に備えた回転係合レバー６９（詳細には干渉凸部１２５）とが当接して、ガラス枠９５と遊技盤保持枠９０との間に隙間が形成される。これにより、ガラス枠９５に備えたフック３０５と、遊技盤保持枠９０に備えた機構部３００との係合（より詳細には、フック３０５の先端部３０５Ｓと、機構部３００の切り欠き部３０６Ｃとの係合）が禁止され、遊技盤１１の組み付け不良を防止することができる。なお、この場合には、ガラス枠９５に備えたフック３０５と遊技盤保持枠９０に備えた機構部３００とが、本発明の「第２係合部材」に相当する。
【００９９】
（３）前記実施形態では、ガラス枠９５と回動板９７とを別体で構成し、別々に回動するように構成していたが、ガラス枠９５と回動板９７とを一体に備えた構成としてもよい。
【０１００】
（４）前記実施形態では、回転係合レバー６９に干渉凸部１２５を形成していたが、遊技盤保持レバー１１４に、ガラス枠９５側に向かって突出した干渉凸部を形成し、ガラス枠９５の裏面のうち、遊技盤保持レバー１１４に対向する位置に、遊技盤保持枠９０の前面に向かって突出した突出部を設けてもよい。このようにすれば、遊技盤保持レバー１１４による遊技盤１１の保持が不完全な場合に、遊技盤保持レバー１１４と突出部とが当接して、ガラス枠９５に備えたフック３０５と遊技盤保持枠９０に備えた機構部３００との係合が禁止され、ガラス枠９５を遊技盤保持枠９０に対して回り止めすることが不可能となり、遊技盤１１の組み付け不良を防止することができる。
【０１０１】
（５）前記実施形態では、円柱体１３０を中心として回転する回転係合レバー６９によって遊技盤１１を保持していたが、他の構成の係合部材で保持してもよい。即ち、保持位置と非保持位置との間で移動可能な構成であれば、例えば、遊技盤保持枠９０の前面を上下又は左右にスライド移動する係合部材でもよい。
【０１０２】
（６）前記実施形態では、ガラス枠９５の下辺が回動板９７の前面側に重なるように構成されていたが、ガラス枠９５と回動板９７とを互いに重ならないように構成してもよい。
【０１０３】
（７）前記実施形態では、回動板９７側に機構部２００を備え、遊技盤保持枠９０側に係合部材２０５を備えた構成であったが、回動板９７側に係合部材２０５を備え、遊技盤保持枠９０側に機構部２００を備えた構成でもよい。
【０１０４】
（８）前記実施形態では、ガラス枠９５側にフック３０５を備え、遊技盤保持枠９０側に機構部３００を備えた構成であったが、ガラス枠９５側に機構部３００を備え、遊技盤保持枠９０側にフック３０５を備えた構成でもよい。
【図面の簡単な説明】
【０１０５】
【図１】本発明の一実施形態に係るパチンコ遊技機の正面図
【図２】パチンコ遊技機の背面図
【図３】遊技盤保持枠、遊技盤、ガラス枠、回動板の分解斜視図
【図４】ガラス枠の係合機構の側面図
【図５】回動盤の係合機構の側面図
【図６】遊技盤保持枠の斜視図
【図７】回転係合レバーの斜視図
【図８】回転係合レバーを取り付けた状態の遊技盤保持枠の部分拡大図
【図９】回動板の背面図
【図１０】突出壁及び収納空間の正面図
【図１１】回転係合レバーと突出壁の側面図
【図１２】干渉凸部と突出壁とが当接した状態におけるガラス枠の係合機構の側面図
【符号の説明】
【０１０６】
１１    遊技盤
２７Ａ    上皿（遊技球貯留皿）
６９    回転係合レバー（第１係合部材、係合レバー）
９０    遊技盤保持枠
９５    ガラス枠（透光板枠）
９５Ｇ    ガラス板（透光板）
９７    回動板（遊技球貯留皿セット部材）
１２５    干渉凸部
１３０    円柱体（軸部）
１４０    突出壁（受け凸部）
１４１    矩形凹所（干渉凸部収納空間）
２００    機構部（第２係合部材）
２０５    係合部材（第２係合部材）
Ｒ１    遊技領域
【要約】
【課題】  遊技盤の組み付け不良を防止することが可能な弾球遊技機の提供を目的とする。
【解決手段】  本発明の遊技機によれば、回転係合レバー６９が遊技盤１１を保持していない非保持位置の場合には、回転係合レバー６９に備えられた干渉凸部１２５と回動板９７に形成された突出壁１４０とが衝突するので、回動板９７と遊技盤保持枠９０との間に隙間が生じる。すると、回動板９７と遊技盤保持枠９０とに備えられた係合機構（係合部材２０５及び機構部２００）によって回動板９７と遊技盤保持枠９０とが係合不可能となる。つまり、回転係合レバー６９による遊技盤１１の保持が不完全なままでは、回動板９７を遊技盤保持枠９０に対して閉止状態に固定できないので、遊技盤１１の組み付け不良を確実に防止することができる。
【選択図】  図１０
【図１】
0003585173.tif 000002
【図２】
0003585173.tif 000003
【図３】
0003585173.tif 000004
【図４】
0003585173.tif 000005
【図５】
0003585173.tif 000006
【図６】
0003585173.tif 000007
【図７】
0003585173.tif 000008
【図８】
0003585173.tif 000009
【図９】
0003585173.tif 000010
【図１０】
0003585173.tif 000011
【図１１】
0003585173.tif 000012
【図１２】
0003585173.tif 000013